(57)【要約】【課題】介護予防サービスの提供に際して介護予防サービスの内容、回数を減ずることなく、車両および機器の最大活用を図ることができるようにする。【解決手段】介護予防サービスコースからなる時間枠を複数設定する時間枠設定手段、当該設定された時間枠について希望時間枠に優先順位をつけて応募した被介護予防者の名を入力し、前記設定された時間枠について応募した被介護予防者を記録する時間枠被介護予防者記録手段と、前記設定する時間枠について記録された被介護予防者の数が最大限界数を越えているときに、最大限界数以下になるように記録された被介護予防者のいずれかについて他の希望する時間枠を残して当該時間枠については削除を行って最大限界数以下にし、被介護予防者についての時間枠を改めて特定し、被介護予防者配分表を作成する時間枠被介護予防者特定手段を備える。【選択図】図４
2008021036.tif 000002
【特許請求の範囲】
【請求項１】
介護予防サービスに用いる複数の機器の中から特定の介護予防サービスに対応して特定の機器を搭載し、複数の被介護予防者に順次介護予防サービスを提供する車両についての介護予防サービス提供スケジュール計画作成装置において、
介護予防サービスの種類と該介護予防サービスの種類に対応した使用の機器の名と使用の機器が特定されたときに介護予防サービスコースからなる時間枠について介護予防サービスの提供を受け得る被介護予防者の最大限界数を格納するデータベースと、
介護予防サービスコースからなる時間枠を複数設定する時間枠設定手段、当該設定された時間枠について希望時間枠に優先順位をつけて応募した被介護予防者の名を入力し、前記設定された時間枠について応募した被介護予防者を記録する時間枠被介護予防者記録手段と、前記設定する時間枠について記録された被介護予防者の数が最大限界数を越えているときに、最大限界数以下になるように記録された被介護予防者のいずれかについて他の希望する時間枠を残して当該時間枠については削除を行って最大限界数以下にし、被介護予防者についての時間枠を改めて特定し、被介護予防者配分表を作成する時間枠被介護予防者特定手段と、改めて特定された時間枠毎の被介護予防者配分表に基づいて時間枠の数内において１人の被介護予防者について１つの時間枠を割り当てて時間枠毎の被介護予防者組み合わせを作成する時間枠被介護予防者組み合わせ作成手段と、作成された組み合わせから時間枠の数の最も小さい組み合わせを特定する最小時間枠特定手段と、時間枠の数の最小の組み合わせが複数あるときに、優先される組み合わせを特定する最終組み合わせ決定手段と、
を有して構成されることを特徴とする車両の介護予防サービス提供スケジュール計画作成装置。
【請求項２】
請求項１において、前記最終組み合わせ決定手段は、複数の組み合わせから任意に優先される組み合わせを特定することを特徴とする車両の介護予防サービス提供スケジュール計画作成装置。
【請求項３】
請求項１において、前記データベースは、時間枠の優先順位に従って予め定めた配点および被介護予防者別に予め定めた介護予防重要度配点を格納しており、前記最終組み合わせ決定手段は、複数の組み合わせについて被介護予防者の特定する時間枠の順序に従ってあるいは車両と被介護予防者の居住地との間の距離に従って予め定めた配点、あるいは被介護予防者別に予め定めた介護予防重要度配点に基づいて各時間枠の得点およびこれらを総合する得点を演算し、総合得点に対応して優先される組み合わせを特定することを特徴とする車両の介護予防サービス提供スケジュール計画作成装置。
【請求項４】
請求項３において、前記被介護予防者別に介護予防重要度配点に基づいて演算する総合得点は、前記被介護予防者の特定する時間枠の順序に従って予め定めた配点、あるいは介護予防サービス提供場所と被介護予防者の居住地との間の距離に従って、前記被介護予防者別に予め定めた介護予防重要度配点を掛け算することによって演算することを特徴とする車両の介護予防サービス提供スケジュール計画作成装置。
【請求項５】
請求項１から４のいずれかにおいて、前記最終組み合わせ決定手段は、前記時間枠の数の最小の組み合わせが１つの場合には当該組み合わせを最終組み合わせとすることを特徴とする車両の介護予防サービス提供スケジュール計画作成装置。
【請求項６】
介護予防サービスに用いる複数の機器の中から特定の介護予防サービスに対応して特定の機器を搭載し、複数の被介護予防者について順次介護予防サービスを提供する車両についての介護予防サービス提供スケジュール計画作成装置において、
介護予防サービスの種類と該介護予防サービスの種類に対応した使用の機器の名と使用の機器が特定されたときに介護予防サービスコースからなる時間枠について介護予防サービスの提供を受け得る被介護予防者の最大限界数を格納するデータベースと、
介護予防サービスコースからなる時間枠を複数設定する時間枠設定手段、当該設定された時間枠について希望時間枠に優先順位をつけて応募した被介護予防者の名を入力し、前記設定された時間枠について応募した被介護予防者を画面に表示する時間枠被介護予防者画面表示手段と、前記設定する時間枠について記録された被介護予防者の数が最大限界数を越えているときに、最大限界数以下になるように記録された被介護予防者のいずれかについて他の希望する時間枠を残して当該時間枠については削除を行って最大限界数以下にし、被介護予防者についての時間枠を改めて特定し、被介護予防者配分表を画面に表示する時間枠被介護予防者画面表示手段と、改めて特定された時間枠毎の被介護予防者配分表に基づいて時間枠の数内において１人の被介護予防者について１つの時間枠を割り当てて時間枠毎の被介護予防者組み合わせを画面に表示する時間枠被介護予防者組み合わせ画面表示手段と、表示された組み合わせから時間枠の数の最も小さい組み合わせを表示する最小時間枠画面表示手段と、時間枠の数の最小の組み合わせが複数あるときに、優先される組み合わせを画面に表示する最終組み合わせ画面表示手段と、
を有して構成されることを特徴とする車両の介護予防サービス提供スケジュール計画作成装置。
【請求項７】
請求項１から６のいずれかの介護予防サービス提供スケジュール計画作成装置が使用する車両を特定し、この車両には特定の介護予防サービスに対応する特定の機器が提供される介護予防サービスの変更に伴なって変更して搭載されることを特徴とする介護予防サービスに供される車両。
【請求項８】
介護予防サービスに用いる複数の機器の中から特定の介護予防サービスに対応して特定の機器を搭載し、複数の被介護予防者に順次介護予防サービスを提供する車両についての介護予防サービス提供スケジュール計画作成装置を使用した介護予防サービス提供スケジュール計画作成方法において、
データベースに介護予防サービスの種類と該介護予防サービスの種類に対応した使用の機器の名と使用の機器が特定されたときに介護予防サービスコースからなる時間枠について介護予防サービスの提供を受け得る被介護予防者の最大限界数が格納され、
時間枠設定手段によって介護予防サービスコースからなる時間枠が複数設定され、時間枠被介護予防者記録手段によって当該設定された時間枠について希望時間枠に優先順位をつけて応募した被介護予防者の名が入力され、前記設定された時間枠について応募した被介護予防者が記録され、時間枠被介護予防者特定手段によって前記設定する時間枠について記録された被介護予防者の数が最大限界数を越えているときに、最大限界数以下になるように記録された被介護予防者のいずれかについて他の希望する時間枠を残して当該時間枠については削除を行って最大限界数以下にされ、被介護予防者についての時間枠が改めて特定され、被介護予防者配分表が作成され、時間枠被介護予防者組み合わせ作成手段によって改めて特定された時間枠毎の被介護予防者配分表に基づいて時間枠の数内において１人の被介護予防者について１つの時間枠に割り当てられて時間枠毎の被介護予防者組み合わせが作成され、最小時間枠特定手段によって作成された組み合わせから時間枠の数の最も小さい組み合わせが特定され、最終組み合わせ決定手段によって時間枠の数の最小の組み合わせが複数あるときに、優先される組み合わせが特定されること
を有して構成されることを特徴とする車両の介護予防サービス提供スケジュール計画作成方法。
【請求項９】
介護予防サービスに用いる複数の機器の中から特定の介護予防サービスに対応して特定の機器を搭載し、複数の被介護予防者に順次介護予防サービスを提供する車両についての介護予防サービス提供スケジュール計画作成装置による車両の介護サービス提供スケジュール計画作成方法において、
データベースに介護予防サービスの種類と該介護予防サービスの種類に対応した使用の機器の名と使用の機器が特定されたときに介護予防サービスコースからなる時間枠について介護予防サービスの提供を受け得る被介護予防者の最大限界数が格納され、
時間枠設定手段によって介護予防サービスコースからなる時間枠が複数設定され、時間枠被介護予防者画面表示手段によって当該設定された時間枠について希望時間枠に優先順位をつけて応募した被介護予防者の名を入力し、前記設定された時間枠について応募した被介護予防者が画面に表示され、時間枠被介護予防者画面表示手段によって前記設定する時間枠について記録された被介護予防者の数が最大限界数を越えているときに、最大限界数以下になるように記録された被介護予防者のいずれかについて他の希望する時間枠を残して当該時間枠については削除を行って最大限界数以下にし、被介護予防者についての時間枠が改めて特定され、被介護予防者配分表が画面に表示され、時間枠被介護予防者組み合わせ画面表示手段によって改めて特定された時間枠毎の被介護予防者配分表に基づいて時間枠の数内において１人の被介護予防者について１つの時間枠が割り当てられて時間枠毎の被介護予防者組み合わせが画面に表示され、最小時間枠画面表示手段によって表示された組み合わせから時間枠の数の最も小さい組み合わせが表示され、最終組み合わせ画面表示手段によって時間枠の数の最小の組み合わせが複数あるときに、優先される組み合わせが画面に表示されること
を有して構成されることを特徴とする車両の介護予防サービス提供スケジュール計画作成方法。
【請求項１０】
請求項８または９において、従前の介護予防サービスに対応する特定の機器に変更したことに伴なって、介護予防サービスと該介護予防サービスに対する機器を画面上に表示するようにしたことを特徴とする車両の介護予防サービス提供スケジュール計画作成方法。
【請求項１１】
請求項８から１０のいずれかにおいて、前記最終組み合わせ決定手段によって特定された最終組み合わせに対応した介護サービス提供スケジュール計画によって作成されたことを特徴とする介護サービス用の車の配車方法。
【発明の詳細な説明】
【技術分野】
【０００１】
本発明は、車内に形成した部屋に介護予防サービスに用いる諸機器を搭載し、目的地に移動して介護予防サービスを提供する車両に関し、特にこの車両についての介護予防サービス提供スケジュール計画作成装置および介護予防サービス提供スケジュール計画作成方法、並びに介護予防サービス提供スケジュール計画に基づいて介護予防サービスに供される車両に関する。
【背景技術】
【０００２】
車内に形成した部屋に介護予防サービスに用いる諸機器を搭載し、目的地に移動して車内にて介護予防サービスを提供することが求められるよになってきた。従来から検査のために検査サービスに用いる諸機器を搭載し、目的地に移動して車両にて検査を実施することが行われている。
【０００３】
特許文献１には、車両は使用していないが、医療機関にて、患者に関する１つ又は複数の生理検査又は放射線検査の予約日時の設定を自動的に行う検査予約システムにおいて、上記各検査に係る制限を記憶した第１の記憶部と、１つ又は複数の検査を指定する指定手段と、指定された検査を、上記各検査に係る制限に従ってスケジュール化する、スケジュール手段と、上記のスケジュール化された各検査に対し具体的な日時を付与して確定する、予約受諾手段とを含むことを特徴とする、検査予約システムが記載されている。
【０００４】
特許文献２には、介護予防サービスに用いる車両ではないが、荷を配送する車両について、ほぼ一定少数の溢れ荷が発生するように定めた標準配送コースを使用し、標準コースの車両に積載できない荷は他の積載可能な標準コースに編入するか、臨時配送コースを作成し、各配送コースの時刻を届先の時間制約が守られる範囲内に前後に移動して、車両の移動時間を制約の範囲で最大限に利用する方法で車両に割り付ける方法で配送計画を作成する方法およびシステムが記載されている。
【０００５】
特許文献３には、優先順位決定方法が記載されている。
【０００６】
特許文献４には、介護予防対象として申請者の介護予防申請情報を入力する入力手段と、前記介護予防申請情報の確認、前記申請者の介護予防状態に関する調査、調査結果に基づく介護予防指導計画の策定、介護予防指導計画に基づく介護予防指導実施の進捗管理を行う進捗管理手段と、該進捗管理手段にて進捗管理された介護予防申請情報、介護予防調査情報、介護予防指導計画、指導実施結果を示す指導情報の各介護予防情報を記憶するデータベースと前記進捗管理手段にて進捗管理された前記各情報を前記データベースに登録する登録手段と、前記データベースに記憶されている前記各情報を検索する検索手段と、前記進捗管理手段からの要求に基づき前記検索手段にて検索した前記データベースに記憶された各介護予防情報を表示する表示手段とを具備したことを特徴とする介護予防支援システムが記載されている。
【０００７】
【特許文献１】特開２００１−６０２３０号公報
【特許文献２】特開２００５−２０６２９４号公報
【特許文献３】特開２００５−２０５６９３号公報
【特許文献４】特開２００３−３２３５０１号公報
【発明の開示】
【発明が解決しようとする課題】
【０００８】
従来より、移動歯科検診車、移動レントゲン車、移動図書館、移動食品販売車などにみるように、各種サービスを提供する車両がある。そして、介護予防サービスは、介護施設のある建物の内部で提供されている。しかしながら、介護予防サービスを受けようとするサービス利用者（以下、被介護予防者という）のうち、介護予防拠点から遠い地区に居住する被介護予防者は状態の維持あるいは改善という介護予防の効果を期待できるように長期間にわたって継続して、介護予防拠点まで通うことが困難な場合があり介護予防サービスを十分に受けられない多数の被介護予防者が存在する。このため、介護予防サービス提供施設が各所に設けられないかという要望が多数あるが、多くのこのような施設を建造してこの要望に応えようとすると、施設の建造費、土地代、設備費、管理運営費が非常に多額となることになる。
【０００９】
本発明は、かかる点に鑑み車内に形成した部屋に、介護予防サービスに用いる諸機器の内、特定された介護予防サービスに用いる特定の機器を選定、搭載した車両を用い、車両を目的地に移動させて簡便に介護予防サービスを提供することを可能となし、かつこの介護予防サービスの提供に際して介護予防サービスの内容、回数を減ずることなく、車両および機器の最大の活用を図ることができるようにした介護予防サービス提供スケジュール計画作成装置あるいは／および介護予防サービス提供スケジュール計画作成方法を提供することを目的とする。また、本発明は、作成されたスケジュール計画に沿って諸機器を搭載することのできる車両を提供することを目的とする。
【課題を解決するための手段】
【００１０】
本発明に用いる介護予防サービスに使用の車両は、トラックの後部の荷室を介護予防サービスを提供する部屋として使用するものであり、部屋内に介護予防サービスのために使用する機器を搭載、設置し、被介護予防者の居住地の付近に移動して、部屋内あるいは／および部屋付近において被介護予防者に介護予防サービスを提供することを行う。介護予防サービスの典型的な事例は骨折予防対策、脳卒中対策、認知症ケアの推進、地域での高齢者の支え等があり、運動器の機能向上、栄養改善、口腔機能の向上、アクティビティ、介護予防啓発などがある。これらは、一般高齢者や特定高齢者を対象とした地域支援事業の介護予防サービスとして、あるいは要支援１および２の人を対象とした新予防給付のサービスとして行うことが可能である。
【００１１】
前述の部屋としては、トラックの後部荷室を横方向または後方向に拡幅したものも使用可能である。
【００１２】
介護予防のために使用する機器（計測器、設備、ソフト、食料などの材料を含む）としては、筋肉トレーニングマシン、フットケア用品、ゲーム機、パチンコ機、パチスロ機、スロットマシン、回転寿司装置、カラオケ装置、パソコンおよび認知症診断ソフトを代表例とする介護予防用ソフトあるいはゲームソフトなどが挙げられるが、これらに限定されるものではなく、心身機能の活性化に役立つものであれば、他のものでも良い。
【００１３】
室内に搭載・設置する機器を変更することにより、提供する介護予防サービスの種類を変更できることが介護予防サービスに使用する車両の特徴の一つである。
【００１４】
個々の被介護予防者の利用する介護予防サービスの種類を決めた後、サービス提供者は、運営システムの一部である、後述するシステムにより、被介護予防者の利用時間および場所の決定を行う。また、被介護予防者の出欠管理、被介護予防者とサービス提供者の連絡等をコンピュータ、インターネット等の通信ネットワークおよび電話回線を使用して行う。さらに、被介護予防者の利用中のデータの取得および管理、さらに利用後のデータの処理にもシステムのコンピュータを使用することで行う。
【００１５】
サービス提供場所、被介護予防者、介護予防サービスの内容、実施日時を決定するシステムとして、以下の（１）から（６）に説明する運営システムを使用する。
（１）介護予防サービスの種類ごとに、同一内容のサービスを提供する時間枠を週単位、月単位、あるいは複数月単位で決めておく。また、各時間枠について、定員を決めておく。最初に被介護予防者の希望および介護予防上の必要性をケアマネージャー等のサービス管理者が判断し、利用する介護予防サービスの種類を決定する。
（２）個々の被介護予防者が利用する介護予防サービスの種類、利用日時、利用場所については、以下に説明するシステムにより決定する。
（３）個々の被介護予防者は、利用する介護予防サービスの種類ごとに、（１）において設定してある時間枠の中から、希望する１個または複数の時間枠にコンピュータおよび通信回線を通じて、または、電話により管理担当者に連絡して、エントリーする。
（４）同一サービスを提供する場所が１ヶ所の場合には、利用者数が各時間枠の最大限界数を超えないことを条件として、サービスを実施する回数が最小になるような被介護予防者と時間枠の組合せを選択し、実施計画として決定する。
（５）同一サービスを提供する場所が複数ある場合は、被介護予防者が各時間枠の最大限界数以下となることを条件として、すべての被介護予防者の居住地とサービス提供場所との距離の和が最小になるような被介護予防者と時間枠、利用場所の組合せを選び、選択された組合せの中からサービス実施回数が最小になる組合せを選択し、実施計画として決定する。あるいは、各時間枠の最大限度数以下となることを条件として、サービス実施回数が最小になる組合せを選択し、選択された組合せの中から、すべての被介護予防者の居住地とサービス提供場所との距離の和が最小になる組合せを選択し、実施計画として決定する。
（６）被介護予防者には、コンピュータおよびインターネット等の通信回線を使用して、決定したサービス提供の計画を配信する。あるいは、電話、ＦＡＸにより連絡する。また、希望者には、実施前のあらかじめ決めておいた時刻に、電話による呼出しの連絡を自動的に行う。
【００１６】
前項の運営システムにおいて、（５）の被介護予防者の居住地とサービス提供場所との距離の代わりに、被介護予防者の居住地からサービス提供場所まで利用者が移動するのにかかると予測される時間を使用することにより、サービス提供場所と提供日時を決定することも可能である。
【００１７】
本発明は、介護予防サービスに用いる複数の機器の中から特定の介護予防サービスに対応して特定の機器を搭載し、複数の被介護予防者に順次介護予防サービスを提供する車両についての介護予防サービス提供スケジュール計画作成装置において、
介護予防サービスの種類に対応して特定した使用の機器の名と使用の機器を特定したときに介護予防サービスコースからなる時間枠についての介護予防サービスの提供を受け得る被介護予防者の最大限界数を格納するデータベースと、
介護予防サービスコースからなる時間枠を複数設定する時間枠設定手段、当該設定された時間枠について希望時間枠に優先順位をつけて応募した被介護予防者の名を入力し、前記設定された時間枠について応募した被介護予防者を記録する時間枠被介護予防者記録手段と、前記設定する時間枠について記録された被介護予防者の数が最大限界数を越えているときに、最大限界数以下になるように記録された被介護予防者のいずれかについて他の希望する時間枠を残して当該時間枠については削除を行って最大限界数以下にし、被介護予防者についての時間枠を改めて特定し、被介護予防者配分表を作成する時間枠被介護予防者特定手段と、改めて特定された時間枠毎の被介護予防者配分表に基づいて時間枠の数内において１人の被介護予防者について１つの時間枠を割り当てて時間枠毎の被介護予防者組み合わせを作成する時間枠被介護予防者組み合わせ作成手段と、作成された組み合わせから時間枠の数の最も小さい組み合わせを特定する最小時間枠特定手段と、時間枠の数の最小の組み合わせが複数あるときに、優先される組み合わせを特定する最終組み合わせ決定手段と、
を有して構成されることを特徴とする車両の介護予防サービス提供スケジュール計画作成装置あるいはこれを用いた介護予防サービス提供スケジュール計画作成方法（以下、スケジュール計画作成方法という）を提供する。
【００１８】
また、上述の装置あるいは方法において、前記最終組み合わせ決定手段は、複数の組み合わせから任意に優先される組み合わせを特定することを特徴とする車両の介護予防サービス提供スケジュール計画作成装置あるいはスケジュール計画作成方法を提供する。
【００１９】
また、上述の装置あるいは方法において、前記データベースは、時間枠の優先順序に従って予め定めた配点および被介護予防者別に予め定めた介護予防重要度配点を格納しており、前記最終組み合わせ決定手段は、複数の組み合わせについて被介護予防者の特定する時間枠の順序に従って予め定めた配点あるいは被介護予防者別に予め定めた介護予防重要度配点に基づいて各時間枠の得点およびこれらを総合する得点を演算し、総合得点に対応して優先される組み合わせを特定することを特徴とする車両の介護予防サービス提供スケジュール計画作成装置あるいはスケジュール計画作成方法を提供する。
【００２０】
また、上述の装置あるいは方法において、前記被介護予防者別に介護予防重要度配点に基づいて演算する総合得点は、前記被介護予防者の特定する時間枠の順序に従って予め定めた配点に、前記被介護予防者別に予め定めた介護予防重要度配点を掛け算することによって演算することを特徴とする車両の介護予防サービス提供スケジュール計画作成装置あるいはスケジュール計画作成方法を提供する。
【００２１】
また、上述の装置あるいは方法において、前記最終組み合わせ決定手段は、前記時間枠の数の最小の組み合わせが１つの場合には当該組み合わせを最終組み合わせとすることを特徴とする車両の介護サービス提供スケジュール計画作成装置あるいはスケジュール計画作成方法を提供する。
【００２２】
また、本発明は、介護予防サービスに用いる複数の機器の中から特定の介護予防サービスに対応して特定の機器を搭載し、複数の被介護予防者に順次介護予防サービスを提供する車両についての介護予防サービス提供スケジュール計画作成装置において、
介護予防サービスの種類に対応して特定した使用の機器の名と使用の機器を特定したときに介護予防サービスコースからなる時間枠についての介護予防サービスの提供を受け得る被介護予防者の最大限界数を格納するデータベースと、
介護予防サービスコースからなる時間枠を複数設定する時間枠設定手段、当該設定された時間枠について希望時間枠に優先順位をつけて応募した被介護予防者の名を入力し、前記設定された時間枠について応募した被介護予防者を画面に表示する時間枠被介護予防者画面表示手段と、前記設定する時間枠について記録された被介護予防者の数が最大限界数を越えているときに、最大限界数以下になるように記録された被介護予防者のいずれかについて他の希望する時間枠を残して当該時間枠については削除を行って最大限界数以下にし、被介護予防者についての時間枠を改めて特定し、被介護予防者配分表を画面に表示する時間枠被介護予防者画面表示手段と、改めて特定された時間枠毎の被介護予防者配分表に基づいて時間枠の数内において１人の被介護予防者について１つの時間枠を割り当てて時間枠毎の被介護予防者組み合わせを画面に表示する時間枠被介護予防者組み合わせ画面表示手段と、表示された組み合わせから時間枠の数の最も小さい組み合わせを表示する最小時間枠画面表示手段と、時間枠の数の最小の組み合わせが複数あるときに、優先される組み合わせを画面に表示する最終組み合わせ画面表示手段と、
を有して構成されることを特徴とする車両の介護予防サービス提供スケジュール計画作成装置あるいはこれを用いたスケジュール計画作成方法を提供する。
【００２３】
また、本発明は、介護予防サービス提供スケジュール計画作成装置が使用する車両を特定し、この車両には特定の介護予防サービスに対応する特定の機器が提供される介護予防サービスの変更に伴なって変更して搭載されることを特徴とする介護予防サービスに供される車両あるいは車両の配車方法を提供する。
【発明の効果】
【００２４】
本発明によれば、車内に形成した部屋に、介護予防サービスに用いる諸機器の内、特定された介護予防サービスに用いる特定の機器を選定、搭載した車両を用い、車両を目的地に移動させて簡便に介護予防サービスを提供することが可能となり、かつこの介護予防サービスの提供に際して介護予防サービスの内容、回数を減ずることなく迅速なスケジュール化が可能となって車両および機器の最大活用を図ることができ、介護予防マネジメントの有効な手段となる。
【００２５】
また、本発明によれば、スケジュールに際して画面表示装置の画面にステップ毎の結果を表示することができるので、ステップ毎の確認を視覚的に確保しながら間違いなくスケジュールの計画作成ができることになる。また、この計画作成されたスケジュールに沿って選択された諸機器を車両に搭載できるようになる。また、本発明によれば、介護予防サービスを供する車両のスケジュール化した配車方法を提供することができる。
【発明を実施するための最良の形態】
【００２６】
以下、本発明の実施例を図面に基づいて説明する。
【実施例】
【００２７】
図１から図３は、車両１に介護予防サービスに対応して選定された機器３を搭載し、これらの機器３を使用して被介護予防者４が介護予防サービスを受けている状態を示している。前述のように、介護予防サービスに使用する車両１は、トラックの後部の荷室を介護予防サービスを提供する部屋２として構成しており、この部屋２内に介護予防サービスのために使用する機器３を搭載し、例えば被介護予防者の居住地の付近に移動して、部屋内あるいは部屋付近において被介護予防者に介護予防サービスを提供する。
【００２８】
図１は、介護予防サービスとして回転寿司装置一式を機器３として搭載し、多数の被介護予防者４が寿司マスター５のサービスを受けている例である。これは被介護予防者の内の誰かが誕生日を迎え、誕生会イベントという介護予防サービスが特定の地域で実施されている例を示す。車両１の後部のトラックに部屋２が設けてあり、この部屋２は外部に拡張部６が設けられ、踏み段７その他の諸設備（例えば空調機、スピーカ）がセットされる。
【００２９】
被介護予防者４は所定の時間、所定の方法によってケアマネージャーなどのサービス管理者の指導の下に介護予防サービスを受ける。介護予防サービスの内容については被介護予防者の希望、過去の実績、介護予防の必要性、頻度などがサービス管理者のアドバイスに基づいて被介護予防者に伝達されている。そして、介護予防サービスの種類ごとに同一内容の介護予防サービスを提供する時間枠を週単位、月単位、あるいは複数月単位で予め決められる。ここで、時間枠とは、介護予防サービスコースあるいは半日コースの任意コース（以下、介護予防サービスコースという）で介護予防サービスが実施され得る時間のことであり、一車両一機器について介護予防サービスコース（時間枠）で介護予防サービスを受け得る被介護予防者の人数は過去の経験と実績、機器の性能等により予め定めてあり、所要のコンピュータ（パソコン）に格納されている。この人数が当該機器についての時間枠における定員であり、最大限界数である。この場合に、典型的な１つの例は１被介護予防者が１つの機器について介護予防サービスを受ける場合であるが、図１に示すように複数の被介護予防者４が１つの回転寿司装置という機器３を利用しており、従ってこの例の場合、複数であって同時に同一の介護予防サービスを受ける利用者についてもここでは単一の被介護予防者として説明する。従って被介護予防者には単数の場合と複数の場合とがあるが、複数の場合、単一の介護予防サービスを受ける利用者ということになる。従って、最大限界数とは複数人であるが単一の介護予防サービスを受ける１つの組（グループ）としての数を示す場合をも指すことになる。
【００３０】
図２は、同種の２台の筋力トレーニング装置を機器３として使用して介護予防サービスを被介護予防者が受ける例を示す。図２に示す場合において、典型的な例に対して複数の被介護予防者が複数の同種の機器による介護予防サービスを受けることになる。この例のように１つの機器と言った場合に単数のときと複数のときがあり、複数のときには同時に同一方法において使用されるものであり、単一の介護予防サービスに供される機器ということになる。従って１つの機器とは単一の介護予防サービスに供される複数の機器の１つの組（グループ）としての数を示す場合をも指すことになる。８は、スピーカ、９は空調機を示す。
【００３１】
図３は、異機種の機器３Ａおよび３Ｂからなる機器３を使用して介護予防サービスを被介護予防者４が継続して受けている例を示す。このような異機種による介護予防サービスをあたかも１つの介護予防サービスメニューとして受けることができる。被介護予防者４が複数であっても構わない。このような場合、一車両に搭載された機器３であるが別個の機器であって、被介護予防者４も別個のものとして取り扱うことになる。
【００３２】
図４に示す場合は、筋力トレーニングを中断し、一連のコースとして拡張部６を設けてトレーナー９０による体操講習会を一組の被介護予防者４に行っている例を示す。このように介護予防サービスによっては備えつけのスピーカ８のみが使用されることがある。このように、車両の大きさ、機器の大きさによっては一台の車両に２台以上の機器を搭載することが可能となり、それだけ多くの被介護予防者４（４Ａと４Ｂ）が介護予防サービスを受けることができることになる。
【００３３】
以下、図１に示す例について介護予防サービス提供スケジュール計画作成装置および介護予防サービス提供スケジュール計画作成方法について説明する。
【００３４】
図５は、介護予防サービス提供スケジュール計画作成装置１００は、介護予防サービス提供スケジュール作成処理手段１０およびデータベース２０を備え、外部の端末３０に接続され、内部の、あるいは外部の画面表示装置４０に接続される。
【００３５】
介護予防サービス提供スケジュール作成処理手段１０は、時間枠設定手段１１、入力手段１２、時間枠被介護予防者記録および画面表示手段１３、時間枠被介護予防者特定および画面表示手段１４、時間枠被介護予防者組み合わせ作成および画面表示手段１５、最小時間枠特定および画面表示手段１６および最終組み合わせ特定および画面表示手段１７を備える。
【００３６】
データベース２０には、介護予防サービスの種類と対応する機器の名２１すなわち介護予防サービスに使用する機器が対応した形で格納されており、この対応関係は修正可能とされている。データベース２０には、更に被介護予防者の名２２（候補を含む）および車両情報２３が格納され、時間枠について予め定められた被介護予防者最大限界数２４が格納されている。データベース２０には、更に優先順位配点、介護予防重要度（必要度）配点表および被介護予防者別介護予防重要度配点表２５が格納されている。優先順位配点には、被介護予防者の指定による優先順位および被介護予防者の居住地と当該介護予防サービスの日に駐車される位置との距離をナビシステムによって計測し、近い距離を高い配点にした優先順位がある。また、データベース２０には介護予防サービス提供スケジュール作成処理手段１０が作動するに必要なプログラムその他のプログラムが格納されている。被介護予防者の各履歴情報を特定するキー情報としては、保険者番号、被介護予防者の申請者情報（氏名、住所、連絡先、性別、年令）、主治医情報、家族情報が含まれるようにしてもよい。
【００３７】
介護予防サービス提供管理者は、データベース２０の被介護予防者の名２２を使用して、被介護予防者の名、施設、地域を画面に表示する車両情報２３を表示して時間枠設定手段１１を使用して特定の地域すなわち被介護予防者の居る居住地区を目的地域として選定し、介護予防サービス提供のための車両１その他の派遣を決定し、車両１に対応した被介護予防者の内のサービスを受ける利用者の数を一覧表から予測し、週単位、月単位、あるいは複数月単位で介護予防サービスを提供する複数の時間枠の設定を行う。
【００３８】
この時間枠は連続した日であってもよい。この時間枠はインターネットその他の通信手段を介して、あるいは公報紙などを通じて被介護予防者あるいは公共施設等の外部端末３０あるいは直接被介護予防者に伝達される。被介護予防者は、外部端末３０を介してあるいは他の通信手段を介して介護予防サービスを受けたい旨の応募を行う。この応募は口頭であるいは文書などで行われてもよい。
【００３９】
応募しようとする被介護予防者は氏名、住所（居所）、登録済の有無と受けようとする介護サービスの名あるいは内容およびいくつかの時間枠について希望（優先順位）をつけて送信する。すなわち、例えば外部端末３０からは応募した被介護予防者の名３１および希望時間枠につけた優先順位３２その他の情報が介護予防サービス提供スケジュール作成処理手段１０の入力手段１２に入力される。通信手段による電子情報以外の情報については介護予防サービス提供管理者によって電子情報に転換されて同様に入力される。また、介護予防サービスの名が判然としない場合にはデータベース２０の内容からあるいはケアマネージャー等からのアドバイス情報に基づいて介護予防サービスの名を明確にする。従って、介護予防サービス提供管理者によって、被介護予防者の名、住所（居所）、介護予防サービスの名および被介護予防者別希望順位が確認され、入力情報とされる。この確認情報は、時間枠被介護予防者記録および画面手段１３によって時間枠と被介護予防者との関係として記録され、画面に表示される。画面に表示される例を図６に示す。図６は、被介護予防者の時間枠別参加可能時間枠表である。図６において、時間枠として（１）、（２）、（３）が時間枠設定手段１１によって設定され、設定された時間枠（１）、（２）、（３）に被介護予防者Ａ、Ｂ、Ｃ、Ｄ、Ｅはそれぞれ優先順位をつけて希望時間枠を特定し、応募したこと（参加可能）を○印で示している。単に○印でなく優先順位をつけた○印であっても構わない。この表からＡは、（１）と（２）に、Ｂは（２）に、Ｃは（３）に、Ｄは（２）に、そしてＥは（１）、（２）、（３）に応募したことが判る。
【００４０】
これらは、時間枠被介護予防者特定および画面表示手段１４によって組み替えがなされる。この組み替えに際してはデータベース２０から時間枠について被介護予防者最大限界数２４が求められる。予め設定されている被介護予防者最大限界数が仮に「３」としてみる。すなわち１つの時間枠について最大３人までが介護予防サービスを受けることができることになる。最大限界数の定義については先に説明した通りである。従って、１つの時間枠について最大の被介護予防者人数の内で割り振ってみると、図７に示す４通りの組み合わせが生成され得る。このような組み合わせは、時間枠被介護予防者組み合わせ形成および画面表示手段１５によって生成され、画面に表示される。組み合わせ１〜４からなる。これらの組み合わせは、組み合わせ１、組み合わせ３、組み合わせ４が時間枠（１）、（２）、（３）を要し、組み合わせ２が時間枠（２）、（３）の２つであることが判る。すなわち、組み合わせ２が時間枠が最も少ない。このような場合、時間枠被介護予防者組み合わせ作成および画面表示手段１５は、組み合わせを組み合わせ（２）に特定し、画面上にて組み合わせ（２）が採用されることが確認される。これによって、１つの介護予防サービスについて被介護予防者および使用の機器が特定され、出力される。使用の機器の定義については先に説明した通りである。
【００４１】
図６に示す例にあっては、（１）（２）（３）で示す１つの介護予防サービスについて表示したが、他の介護予防サービスについても図８に示すようにして画面に表示することができる。図８の例では時間枠（ａ）、（ｂ）、（ｃ）あるいは（イ）、（ロ）、（ハ）を時間枠（１）（２）（３）と同様構成としているが、勿論、介護予防サービスの内容が異なるので被介護予防者および希望日についても異なったものとなるであろう。
【００４２】
図９は、データベース２０に格納される介護予防サービスとこれに使用する機器と一時間枠での最大限界数との一例の関係である。介護予防サービスが特定されると、使用する機器および一時間枠での最大限界数が特定される。従って、時間枠被介護予防者特定および画面表示手段１４は、図９に示す関係から最大限界数を特定し、時間枠被介護予防者組み合わせ作成および画面表示手段１５は、前述のように、時間枠数が最小の状態で被介護予防者一時間枠の設定を行なうことになる。
【００４３】
図１０は図６に示す他の例を示す。図１０に示す例にあっては、被介護予防者Ａは時間枠（１）と（３）、Ｂは（１）と（２）、Ｃは（２）と（３）、Ｄは（１）と（３）そしてＥは（３）を希望している。そして、最大限界数は「３」とする。時間枠（３）は、Ａ、Ｃ、Ｄ、Ｅの４人の被介護予防者が希望しており、このままであると組み合わせが出来ない。このような場合、時間枠被介護予防者特定および画面表示手段は、（３）について被介護予防者の少なくとも１名について削除を行う。すなわち、設定する時間枠について記録された被介護予防者の数が最大限界数を越えているときに、最大限界数以下になるように記録された被介護予防者のいずれかについて他の希望する時間枠を残して当該時間枠について削除を行う最大限界数内設定を行う。
【００４４】
図１１は、この最大限界数内設定を行った場合を示す。図１１（１）は、Ａについて（１）を残して（３）を削除した場合、図１１（２）はＣについて（２）を残して（３）を削除した場合、図１１（３）はＤについて（１）を残して（３）を削除した場合を示す。ＢとＥについては（３）を希望していないので、残留削除の処理を行わない。このようにして時間枠被介護予防者特定および画面表示手段１４は、図１１に示す被介護予防者配分者を作成し、画面に表示する。
【００４５】
時間枠被介護予防者組み合わせ作成および画面表示手段１５は、作成された被介護予防者配分表（図１１）を基にして図７に示すと同様に、最大限界数内において一時間枠について１被介護予防者を配する組み合わせを作成する。
【００４６】
図１２は、時間枠被介護予防者組み合わせ作成および画面表示手段によって作成された時間枠被介護予防者組み合わせを示す。全組み合わせとして、組み合わせ２１−２７の７組が生成された。
【００４７】
この結果によれば、組み合わせ２１、２２、２５、２６および２７が時間枠（１）（２）（３）の３つを要することを示し、組み合わせ２３および２４が時間枠（１）（２）の２つを要することを示している。
【００４８】
従って、最小時間枠特定および画面表示手段１６は、時間枠の最も小さい組み合わせとして組み合わせ２３および２４の特定を行う。この組み合わせが１つの場合には、この組み合わせが最終採用される。
本例の場合、組み合わせが２つあるので最終組み合わせしたスケジュールが確定しない。従って配車スケジュールが確定しない。
【００４９】
最終組み合わせが特定および画面表示手段１７は、最終組み合わせて特定を行う。図７に示すような１個の組み合わせのみが生成される場合には、当該１個の組み合わせを最終組み合わせ５１として画面表示すると共に、画面表示装置４０にも表示を行う。
【００５０】
前述のように、最小時間枠が最小の組み合わせが複数ある場合には、複数の組み合わせ（１）あるいは複数の組み合わせ（２）が採用される。
【００５１】
複数の組み合わせ（１）の場合には、表示された画面上で、もしくは画面表示装置４０の画面でいずれかの組み合わせを採用するかを任意選択することを行う。画面表示装置４０の画面上で選択４１とすると、その結果は最終組み合わせ特定および画面表示手段５１に戻され、最終組み合わせが決定され、採用することになる。
【００５２】
複数の組み合わせ（２）の場合には、データベース２０から優先順位配点および被介護予防者別介護予防重要度配点を入力して優先順位を求める処理を行い、優先される組み合わせの決定を行う。被介護予防者介護予防重要度配点が設定されていない場合には、介護予防重要度配点表を入力して被介護予防者別に介護予防重要度の配点を求める処理を行う。
【００５３】
図１３は、被介護予防者の希望に基づく優先順位配点表を示し、時間枠被介護予防者記録および画面表示手段１３によって時間枠被介護予防者記録がなされたときに、入力手段１２から入力された希望時間枠につけた優先順位がデータベース２０に格納される。図１３に示す例は、図１０に示す例について、第１希望に１０点、第２希望に７点を配点した例である。
【００５４】
図１２に示す組み合わせ２３の場合には、各時間枠および総合得点（合計）は図１４に示すようになり、組み合わせ２４の場合には、各時間枠および総合得点（合計）は図１５に示すようになる。組み合わせ２４の例では総合得点が４４点で組み合わせ２３の例の場合の総合得点よりも多いので、組み合わせ２４の例が最終組み合わせとして決定される。
【００５５】
図１６は、車両１と、当該介護予防サービスデーにおける被介護予防者の住所（居所）との距離による優先順位配点表を示す。時間枠被介護予防者記録および画面表示手段１３によって時間枠被介護予防者記録がなされたときに、入力手段１２から入力された被介護予防者の居住地がデータベース２０に格納される。このデータを基にして車両１と被介護予防者４の居住地との距離が計測され、もしくは計測済のデータが使用されて優先順位配点が決定される。図１６に示す例は、図１０に示す例について、第１優先順位に１０点、第２優先順位に９点を配点するというように順次８点、６点、５点、３点を配点した例である。距離が近い程、高配点としている。
【００５６】
図１２に示す組み合わせ２３の場合には、各時間枠および総合得点（合計）は図１７に示すようになり、組み合わせ２４の場合には、各時間枠および総合得点（合計）は図１８に示すようになる。組み合わせ２３の例では総合得点が組み合わせ２４の例の場合の総合得点よりも多いので、組み合わせ２３の例が最終組み合わせとして決定される。
【００５７】
図１９に示す例では、図１０に示す例について被介護予防者別に介護予防重要度の配点を行った場合の配点を示す。Aについては６点、Bについては８点、Cについては１０点、Dについては３点およびEについては１点が配点されている。この配点は、介護予防重要度配点表に基づいて定められる。
【００５８】
図２０は、この介護予防重要度配点に図１３に示す希望順序による優先順位配点を掛け合わせた点数を示す加重配点表である。例えば、A（１）について６×７＝４２のように。距離による優先順位配点を掛け合わせるようにしてもよい。
【００５９】
図１２に示す組み合わせ２３の場合には、各時間枠および総合得点（合計）は図２１に示すようになり、組み合わせ２４の場合には各時間枠および総合得点（合計）は図２２に示すようになる。組み合わせ２４の例では総合得点が２３２点で組み合わせ２３の例の場合の総合得点よりも多いので、組み合わせ２４の例が最終組み合わせとして決定される。
【００６０】
最終組み合わせが決定されると（例えば組み合わせ２４）、画面表示装置４０の画面上で最終決定確認４２がなされ、各車両について時間枠、被介護予防者名、介護予防サービス、サービス提供場所および使用機器更に場合によっては希望あるいは任意の定めた時間帯が一覧表の形で出力され、関係先に通信あるいは通知がなされる。
【００６１】
このようにして、介護予防サービス提供スケジュール計画作成装置１００が使用する車両を特定し、この車両には特定の介護予防サービスに対応する特定の機器が提供される。介護予防サービスの変更に伴なって変更して構成されることになる。なお、備えの車両が１台の場合には当然に介護予防サービス提供スケジュール計画作成装置１００は当該車両を使用するものとして特定することを前提にしてスケジュール化を行なうことになる。
【００６２】
図２３は、本実施例のフローチャートを示す。
データベース２０に格納された介護予防サービスの種類を対応する機器の名２１を使用してニーズに基づいて、特定の車両１によって被介護予防者に提供する介護予防サービスの種類を決定し（Ｓ１）、介護予防サービスに使用する機器の決定（Ｓ２）を行い、介護予防サービスコース（例えば１日コース）としての時間枠の設定を行う（Ｓ３）。応募した被介護予防者の名、住所（居所）、希望時間枠および希望時間枠につけた優先順位を入力し（Ｓ４）、時間枠被介護予防者記録および画面表示を行う（Ｓ５）。特定の時間枠について被介護予防者最大限界数を入力し（Ｓ６）、ある時間枠について被介護予防者最大限界数内にあるかを判定し、これに基づいて調整が必要かを判定する（Ｓ７）。
【００６３】
この調整は、最大限界数を越えている時間枠について各被介護予防者について他の希望する時間枠があるかを見て、他に希望する時間枠がある場合には、他の希望する時間枠についての被介護予防者を残留させ、最大限界数を越える時間枠について当該被介護予防者の削除を行い、最大限界数内に被介護予防者の数を設定することによる調整を行うものである（Ｓ８）。この場合、最大限界数であってもよいし、最大限界数内であってもよいが、最大限界数にとどめておくのが望ましい。これによって、結果について時間枠被介護予防者配分表の作成および画面表示を行う（Ｓ９）。調整の必要がない場合には直ちに被介護予防者配分表の作成および画面表示を行う（Ｓ９）。
【００６４】
この被介護予防者配分表に基づいて図７あるいは図１２に示すように、時間枠被介護予防者組み合わせ作成および画面表示を行う（Ｓ１０）。この組み合わせから最小時間枠特定を行うと共に、画面表示を行い（Ｓ１１）、この最小時間枠についての組み合わせが複数あるかどうかを判定する（Ｓ１２）。複数ある場合には、任意選択とするかを判定し（Ｓ１２）、演算処理法を選ぶ場合には時間枠についての優先の順序による得点法のいずれかによるか（Ｓ１４）、介護予防重点配点による得点法によるか（Ｓ１５）を選択し、図１４、図１５、図１７、図１８あるいは図２０、図２１による総合得点を求め、最高得点を決定し（Ｓ１６）、最終組み合わせの特定および画面表示を行う（Ｓ１７）。このようにして時間枠の数を決定し、この時間枠に入る被介護予防者をこれに伴なって介護予防サービス、使用機器を最終決定する。これに伴なって使用する車両を特定し、目的地を特定し、指示を画面に表示し、車両の介護予防サービス提供スケジュールを確定する。この確定した介護予防サービス提供スケジュールに基づいて特定の機器を搭載し、被介護予防者に連結して介護予防サービスを実施することになる。実施に際しては、実施状況を記録にとどめることを行うことができる。
【図面の簡単な説明】
【００６５】
【図１】本発明の実施例に使用する車両に所要の機器を搭載した状況を示す図。
【図２】図１の他の状況を示す図。
【図３】図１の他の状況を示す図。
【図４】図１の他の状況を示す図。
【図５】本発明の実施例の内容を示すブロック図。
【図６】被介護予防者の時間枠別参加可能時間枠表を示す図。
【図７】組み合わせを示す図。
【図８】各種の時間枠別参加可能時間枠表を示す図。
【図９】介護予防サービスと使用する機器と一時間枠での最大限界数との関係図。
【図１０】被介護予防者の時間枠別参加可能時間枠を示す他の図。
【図１１】最大限界数内調整した結果を示す図。
【図１２】組み合わせを示す図。
【図１３】被介護予防者希望の優先順位配点表を示す図。
【図１４】被介護予防者希望の優先順位配点表による組み合わせ２３についての総合得点を示す図。
【図１５】被介護予防者希望の優先順位配点表による組み合わせ２４についての総合得点を示す図。
【図１６】距離に対応する優先順位配点表を示す図。
【図１７】距離に対応する優先順位配点表による組み合わせ２３についての総合得点を示す図。
【図１８】距離に対応する優先順位配点表による組み合わせ２４についての総合得点を示す図。
【図１９】被介護予防者別介護予防重要度配点表を示す図。
【図２０】加算配点表を示す図。
【図２１】加算配点表による組み合わせ２３についての総合得点を示す図。
【図２２】加算配点表による組み合わせ２４についての総合得点を示す図。
【図２３】本実施例のフローチャート図。
【符号の説明】
【００６６】
１…車両、２…部屋、３…機器、４…被介護予防者、５…世話人（寿司マスター）、６…車両拡張部、７，８，９…他の機器、１０…介護予防サービス提供スケジュール作成処理手段、１１…時間枠設定手段、１２…入力手段、１３…時間枠被介護予防者記録および画面表示手段、１４…時間枠被介護予防者特定および画面表示手段、１５…時間枠被介護予防者組み合わせ作成および画面表示手段、１６…最小時間枠特定および画面表示手段、１７…最終組み合わせ特定および画面表示手段、２０…データベース、３０…外部端末、４０…画面表示装置、１００…介護予防サービス提供スケジュール計画作成装置。
【図１】
2008021036.tif 000003
【図２】
2008021036.tif 000004
【図３】
2008021036.tif 000005
【図４】
2008021036.tif 000006
【図５】
2008021036.tif 000007
【図６】
2008021036.tif 000008
【図７】
2008021036.tif 000009
【図８】
2008021036.tif 000010
【図９】
2008021036.tif 000011
【図１０】
2008021036.tif 000012
【図１１】
2008021036.tif 000013
【図１２】
2008021036.tif 000014
【図１３】
2008021036.tif 000015
【図１４】
2008021036.tif 000016
【図１５】
2008021036.tif 000017
【図１６】
2008021036.tif 000018
【図１７】
2008021036.tif 000019
【図１８】
2008021036.tif 000020
【図１９】
2008021036.tif 000021
【図２０】
2008021036.tif 000022
【図２１】
2008021036.tif 000023
【図２２】
2008021036.tif 000024
【図２３】
2008021036.tif 000025